(57)【特許請求の範囲】
【請求項１】
エアゾール容器の上端部に設けられた弁機構の上方付勢状態のステムに嵌着し、押し下げ操作により横向きの噴射口から内容物を噴射させるエアゾール容器用噴射ボタンにおいて、
基端部でステムに嵌着して上方へ延びると共に上端面に開口部が形成された縦方向ノズル部及びその上端部に連通して先端部に噴射口を有する横方向ノズル部とを備える下側噴射ボタンと、曲げ弾性を呈すると共に底面を下方へ貫通するパイプ状縦方向ノズル部及びその上端部に連通して先端部に噴射口を有する横方向ノズル部とを備える上側噴射ボタンとを具備し、
この上側噴射ボタンの前記縦方向ノズル部の下端部が前記下側噴射ボタンの上面に挿通されて前記開口部に接続すると共に、前記上側噴射ボタンの前記噴射口が前記下側噴射ボタンの前記噴射口の上方位置を占め、
前記上側噴射ボタンの前記縦方向ノズル部に対して前側及び後側の少なくとも一方の前記上面及び前記底面間に、前記上側噴射ボタンをその前記縦方向ノズル部の撓みにより揺動させ得る隙間を形成したことを特徴とするエアゾール容器用噴射ボタン。
【請求項２】
隙間が、上面及び底面の少なくとも一方を縦方向ノズル部から前方又は後方へ向けて前記上面及び前記底面間を徐々に大きく離間させるように傾斜させることにより形成されることを特徴とする請求項１記載のエアゾール容器用噴射ボタン。
【請求項３】
隙間が、上側噴射ボタンの縦方向ノズル部の前側及び後側の少なくとも一方の底面全域を上面から離間させることにより形成されることを特徴とする請求項１記載のエアゾール容器用噴射ボタン。
【発明の詳細な説明】
【０００１】
【発明の属する技術分野】
本発明は、エアゾール容器上端部に設けられた弁機構の上方付勢状態のステムに嵌着し、押し下げ操作により横向きの噴射口から内容物を噴射範囲を可変にして噴射し得るエアゾール容器用噴射ボタンに関するものである。
【０００２】
【従来の技術】
特開平１０−１５１３７９号公報によれば噴射口のキャップ部材を回転させることにより噴射角度を無段階に調整可能にしたスプレー容器用ノズルが開示されている。また、実用新案登録第２５３１５６０号公報によれば噴射口で可動噴射体を前後に変位可能にすることにより噴射角を２段階に調整するスプレーノズルが開示されている。
【０００３】
【発明が解決しようとする課題】
これらにより噴射面積を集束させたり、或は拡散させることができるが、いずれも押し下げ操作の操作部と別の調整部分を操作する必要がある。
【０００４】
本発明は、このような点に鑑みて、操作部となる噴射ボタンの上面の押し下げ操作の調整により噴射範囲の広狭を調整できるエアゾール容器用噴射ボタンを提供することを目的とする。
【０００５】
【課題を解決するための手段】
本発明は、この目的を達成するために、請求項１により、エアゾール容器の上端部に設けられた弁機構の上方付勢状態のステムに嵌着し、押し下げ操作により横向きの噴射口から内容物を噴射させるエアゾール容器用噴射ボタンにおいて、基端部でステムに嵌着して上方へ延びると共に上端面に開口部が形成された縦方向ノズル部及びその上端部に連通して先端部に噴射口を有する横方向ノズル部とを備える下側噴射ボタンと、曲げ弾性を呈すると共に底面を下方へ貫通するパイプ状縦方向ノズル部及びその上端部に連通して先端部に噴射口を有る横方向ノズル部とを備える上側噴射ボタンとを具備し、上側噴射ボタンの縦方向ノズル部の下端部が下側噴射ボタンの上面に挿通されて開口部に接続すると共に、上側噴射ボタンの噴射口が下側噴射ボタンの噴射口の上方位置を占め、上側噴射ボタンの縦方向ノズル部に対して前側及び後側の少なくとも一方の上面及び底面間に、上側噴射ボタンをその縦方向ノズル部の撓みにより揺動させ得る隙間を形成したことを特徴とする。
【０００６】
上側噴射ボタンの縦方向ノズル部に対して前側に隙間が形成されると、上側噴射ボタンの上面の操作位置を前寄りにして押し下げることにより上側噴射ボタンが、その噴射口を下向きにするように揺動し、合流する噴射流の噴射範囲が通常状態よりも狭くなる。逆に、後側に隙間が形成されると、操作位置を後寄りにして押し下げることにより噴射口を上向きにするように揺動し、合流した噴射流の噴射範囲が通常状態よりも広くなる。前側及び後側の双方に隙間が形成されると、広狭の調整が行われる。
【０００７】
【発明の実施の形態】
図１乃至図３を基に本発明の実施の形態の一例によるエアゾール容器用噴射ボタンを説明する。エアゾール容器１の上端部に設けられたマウンティングキャップ２には弁機構が設けられ、そのステム３が押し下げ操作により内容物を噴射させるように上方付勢状態で突出している。噴射ボタンは、下側噴射ボタン１０と、このボタンに載置される上側噴射ボタン２０と、マウンティングキャップ２に基部３１が嵌合され、下側、上側噴射ボタン１０、２０の側面をカバーする側壁部３２が上方へ一体に形成されたキャップ３０とを備えている。このキャップの後部には、縦長のガイド溝３５ａを備えたガイド部が下側噴射ボタン１０の背後に位置するように形成され、その後部に突設された突子１８がガイド溝３５ａに挿入されている。
【０００８】
下側噴射ボタン１０は、基端部１１ａでステム３に嵌着して上方へ延びると共に上端面に開口部１１ｂが形成された縦方向ノズル部１１及びその上端部に略直交方向へ連通して先端部に噴射口１２ａを有する横方向ノズル部１２とを備えている。一方、上側噴射ボタン２０は、下側噴射ボタン１０の上面１４に載置され、縦方向ノズル部１１と同軸状で合成樹脂による一体成形により曲げ弾性を呈すると共に底面２４を下方へ貫通するパイプ状縦方向ノズル部２１及びその上端部に略直交方向へ連通して先端部に噴射口２２ａを有する横方向ノズル部２２とを有している。上側噴射ボタン２０の操作部となる上面２５は、上面１４と共にそれぞれ所属の縦方向ノズル部１１、２１を中心に同一の方形状に形成され、周面を備えている。
【０００９】
下側噴射ボタン１０には、縦方向ノズル部１１に上方へ向けて連続して上面１４で開口する筒部１６が形成されている。縦方向ノズル部２１の下端部は、筒部１６に嵌入されて開口部１１ｂに接続し、その際筒部１６の周囲には、その先端部の段形状により縦方向ノズル部２１の撓みを許容するリング状隙間１６ａが形成される。この嵌入時に、横方向ノズル部２２の回転位置は横方向ノズル部１２に互いに平行になるように揃えられ、噴射口１２ａは噴射口２２ａの上方位置を占める。
【００１０】
底面２４は縦方向ノズル部２１から前後方向に向けて上昇する傾斜面として形成され、前後方向の外方へ向けてそれぞれ徐々に広くなる隙間１９が形成されている。これにより、縦方向ノズル部２１の撓みにより上側噴射ボタン２０の前後方向の揺動が大きくなるのに伴って水平状の上面１４の前後方向の徐々に外方位置に当接する。
【００１１】
このように構成されたエアゾール容器用噴射ボタンの動作を図３を参照して説明する。上側噴射ボタン２０の上面２５の前後方向の中間領域、即ち縦方向ノズル２１の上方領域を押し下げ操作すると、それぞれの噴射口１２ａ、２２ａから所定の噴射角で水平前方へ内容物が噴射される。これにより、上下にずれた双方の噴射流が互いに中心部分で合流すると共に噴射範囲を広げ、個々の噴射角よりも実質上広くなった所定の噴射角で噴射される（同図Ａ参照）。上側噴射ボタン２０による押し下げ操作時に、下側噴射ボタン１０はその突子１８がガイド溝３５ａへ係入していることにより側方への傾倒が拘束される。
【００１２】
上面２５が通常の操作位置よりも後寄りにで押し下げられて縦方向ノズル部２１が後側の隙間１９を徐々に狭くするよう撓むと、上側噴射ボタン２０はその噴射口２２ａを上向きにするように揺動して下側噴射ボタン１０を介してステム３が押し下げ操作され、合流度合が徐々に低減してし噴射範囲が徐々に広くなる。同図Ｂに示すように、底面２４の後端部が上面１４に当接した時点で最大の噴射角となる。
【００１３】
上面２５の操作位置を前寄りで押し下げられて前側の隙間１９を徐々に狭くするように撓むと、上側噴射ボタン２０は下向きに徐々に大きく揺動し、合流度合いが増加して噴射範囲が徐々に小さくなり、同図Ｃに示すように、底面２４の前端部が上面１４に当接した時点で殆ど重なって噴射角は最小となる。その際、噴射圧を上昇させなくても双方の噴射口１２ａ、２２ａからの噴射流が殆ど重なり、したがって噴射流密度の増加により単位流量に対する空気抵抗が減ることにより噴射距離が大巾に延びる。
【００１４】
尚、前述の実施の形態の底面２４を傾斜させるのに代えて、下側噴射ボタンの上面もしくは底面との双方を傾斜させても良い。また、縦方向ノズル部２１の前側又は後側のみに隙間を与えて、広狭の一方のみの調整を行うこともできる。縦方向ノズル部２１の周辺を平坦な当接面としてその外方を徐々に傾斜させるこも考えられる。
【００１５】
さらに、図４に示すように、上側噴射ボタン２０のパイプ状縦方向ノズル部２１の周囲でもその底面２４及び下側噴射ボタン１０の上面１４間を離間させるように、底面２４の全域が所定量離間させて隙間２９を形成することも考えられる。この場合、縦方向ノズル部２１を徐々に撓ませて押し下げ操作を行うこともできるが、縦方向ノズル部２１よりも前後方向の外方へ離れた位置で底面２４及び上面１４間を素早く当接させ得ることにより、通常の噴射範囲に加えて広狭３段階の噴射範囲の段階的な切換操作が行い易くなる。
【００１６】
【発明の効果】
請求項１の発明によれば、上側噴射ボタンの上面の押し下げ操作の調整により上側噴射ボタンの揺動により合流度合を可変することにより、噴射範囲の広狭を調整できる。合流度合に応じて噴射距離を延長することもできる。請求項２の発明によれば、上面及び底面間の当接位置が徐々に外方へずれるように撓むことにより、噴射範囲の連続的な調整が行い易くなる。請求項３の発明によれば、上面及び底面の当接位置が外方へずれることにより段階的な調整が行い易くなる。
【図面の簡単な説明】
【図１】本発明の実施の形態によるエアゾール容器用噴射ボタンの断面図である。
【図２】同噴射ボタンの上側噴射ボタンを外した状態の平面図
【図３】同噴射ボタンの動作を説明する断面図である。
【図４】別の実施の形態によるエアゾール容器用噴射ボタンの断面図ある。
【符号の説明】
１  エアゾール容器
３  ステム
１０  下側噴射ボタン
１１、２１  縦方向ノズル部
１１ｂ  開口部
１２、２２  横方向ノズル部
１２ａ、２２ａ  噴射口
１４  下側噴射ボタンの上面
１９、２９  隙間
２０  上側噴射ボタン
２４  縦方向ノズル部の底面
２５  上側噴射ボタンの上面
【図１】
0003563337.tif 000002
【図２】
0003563337.tif 000003
【図３】
0003563337.tif 000004
【図４】
0003563337.tif 000005